(57)【要約】【課題】  本発明は、ヘッドホンジャックに差し込んだヘッドホンプラグのコジリに対する強度を向上させることができると共に、ヘッドホンプラグの挿抜力に対して十分な固定強度を付与するために形成された抱え込みリブとケースとの合わせラインをなくすことができ、デザイン性に優れたリモコン装置を提供することを課題とする。【解決手段】  抱え込みリブ５は上ケース１と下ケース２との合わせ面の内側に形成されており、組み立て状態では、下ケース２に設けられた抱え込みリブ５が上ケース１によって覆われ、外部から目視されないようになっている。また、組み立て状態で、上ケース１の内面側と下ケース２に設けられた抱え込みリブ５とが当接され、上ケース１によって抱え込みリブ５が強度的に補強されている。【選択図】        図１
2006080913.tif 000002
【特許請求の範囲】
【請求項１】
上下のケースの合わせライン上にヘッドホンプラグが差し込まれるヘッドホンジャックを設けたリモコン装置であって、
一方の前記ケースに、前記ヘッドホンジャックのヘッドホンプラグ差し込み口側を抱え込むように支持する抱え込みリブを、上下の前記ケースの合わせ面の内側に設け、
上下の前記ケースを組み立てた状態では、一方の前記ケースに設けられた前記抱え込みリブが他方の前記ケースによって覆われることを特徴とするリモコン装置。
【請求項２】
上下の前記ケースを組み立てた状態では、一方の前記ケースに設けられた前記抱え込みリブと他方の前記ケースの内面側とが当接されることを特徴とする請求項１記載のリモコン装置。
【発明の詳細な説明】
【技術分野】
【０００１】
本発明は、携帯型ＭＤプレーヤや携帯型ハードティスクプレーヤ等の携帯機器をコントロールするリモコン装置に関し、特にヘッドホンプラグが差し込まれるヘッドホンジャックが端部に設けられているリモコン装置に関する。
【背景技術】
【０００２】
携帯機器をコントロールするリモコン装置は、携帯機器とヘッドホンとの間に設けられるのが一般的であり、携帯機器とリモコン装置とは、リモコンケーブルで、リモコン装置とヘッドホンとは、ヘッドホンケーブルでそれぞれ接続されている（例えば、特許文献１参照）。
【０００３】
図５は、従来のリモコン装置の構成を示す外観図である。
図５に示すように、上ケース１０および下ケース１１によって構成されたリモコン装置の筐体は、デザイン性や操作性の関係から細長い形状をしているものが多く、長手方向の一端部にリモコンケーブル１２が接続されていると共に、他端部にヘッドホンケーブルの一端に設けられたヘッドホンプラグが差し込まれるヘッドホンジャック１３が設けられている。ヘッドホンジャック１３が上ケース１０と下ケース１１との合わせライン上に配置される場合には、ヘッドホンプラグの挿抜力に対して十分な固定強度を付与するために、上ケース１０にヘッドホンジャック１３のヘッドホンプラグ差し込み口側を抱え込むように支持する抱え込みリブ１４を下ケース１１側に延出させて形成し、当該抱え込みリブ１４によってヘッドホンジャック１３を支持するように構成されている。
【０００４】
しかしながら、従来技術では、抱え込みリブ１４と下ケース１１との合わせラインＡが幅方向に入ってしまい、デザイン的に好ましくないと共に、ヘッドホンジャック１３に差し込んだヘッドホンプラグのコジリ（横方向の押圧力）で抱え込みリブ１４と下ケース１１との合わせラインＡが開いて隙間ができ、内部が見えてしまうという問題点があった。
【特許文献１】特開２０００−２２４６７７号公報
【発明の開示】
【発明が解決しようとする課題】
【０００５】
本発明は斯かる問題点に鑑みてなされたものであり、その目的とするところは、ヘッドホンジャックに差し込んだヘッドホンプラグのコジリに対する強度を向上させることができると共に、ヘッドホンプラグの挿抜力に対して十分な固定強度を付与するために形成された抱え込みリブとケースとの合わせラインをなくすことができ、デザイン性に優れたリモコン装置を提供する点にある。
【課題を解決するための手段】
【０００６】
本発明は上記課題を解決すべく、以下に掲げる構成とした。
本発明のリモコン装置は、上下のケースの合わせライン上にヘッドホンプラグが差し込まれるヘッドホンジャックを設けたリモコン装置であって、一方の前記ケースに、前記ヘッドホンジャックのヘッドホンプラグ差し込み口側を抱え込むように支持する抱え込みリブを、上下の前記ケースの合わせ面の内側に設け、上下の前記ケースを組み立てた状態では、一方の前記ケースに設けられた前記抱え込みリブが他方の前記ケースによって覆われることを特徴とする。
【０００７】
さらに、本発明のリモコン装置は、上下の前記ケースを組み立てた状態では、一方の前記ケースに設けられた前記抱え込みリブと他方の前記ケースの内面側とが当接されることを特徴とする。
【発明の効果】
【０００８】
本発明のリモコン装置は、ヘッドホンジャックのヘッドホンプラグ差し込み口側を抱え込むように支持する抱え込みリブを上下のケースの合わせ面の内側に形成し、組み立て状態で、一方のケースに設けられた抱え込みリブが他方のケースによって覆われて外部から目視されないように構成することにより、ヘッドホンプラグの挿抜力に対して十分な固定強度を付与するために形成された抱え込みリブとケースとの合わせラインをなくすことができ、デザイン性に優れているという効果を奏する。
【０００９】
さらに、本発明のリモコン装置は、組み立て状態で、一方のケースに設けられた抱え込みリブと他方のケースの内面側とが当接されるように構成することにより、抱え込みリブが強度的に補強され、ヘッドホンジャックに差し込んだヘッドホンプラグのコジリに対する強度を向上させることができるという効果を奏する。
【発明を実施するための最良の形態】
【００１０】
以下、本発明の実施の形態を図面に基づいて詳細に説明する。
【００１１】
図１は、本発明に係るリモコン装置の実施の形態の構成を示す分解図であり、図２は、図１に示す下ケースの抱え込みリブの構成を示す斜視図であり、図３は、図１に示すリモコン装置のヘッドホンジャック部分の組み立て状態を示す断面図であり、図４は、本発明に係るリモコン装置の実施の形態の構成を示す外観図である。
【００１２】
本実施の形態のリモコン装置の筐体は、図１を参照すると、上ケース１および下ケース２によって構成され、長手方向の一端部にリモコンケーブル３が接続されていると共に、他端部にヘッドホンケーブルの一端に設けられたヘッドホンプラグが差し込まれるヘッドホンジャック４が設けられている。
【００１３】
ヘッドホンジャック４は、上ケース１と下ケース２との合わせライン上に配置されており、下ケース２には、ヘッドホンジャック４のヘッドホンプラグ差し込み口側を抱え込むように支持する抱え込みリブ５が形成されている。
【００１４】
抱え込みリブ５は、図２を参照すると、上ケース１と下ケース２との合わせ面６の内側に形成されており、組み立て状態では、図３および図４に示すように、下ケース２に設けられた抱え込みリブ５が上ケース１によって覆われ、外部から目視されないようになっている。なお、図２および図３に示す符号７は、ヘッドホンジャック４の後端を支持する後端支持部であり、ヘッドホンジャック４は、抱え込みリブ５と後端支持部７とによってヘッドホンプラグの挿抜方向が規制されて支持されている。
【００１５】
また、組み立て状態で、図３に示すように、上ケース１の内面側と下ケース２に設けられた抱え込みリブ５とが当接されるように構成されており、上ケース１によって抱え込みリブ５が強度的に補強され、ヘッドホンジャックに差し込んだヘッドホンプラグのコジリに対する強度を向上させることができる。
【００１６】
以上説明したように、本実施の形態によれば、ヘッドホンジャック４のヘッドホンプラグ差し込み口側を抱え込むように支持する抱え込みリブ５を上ケース１と下ケース２との合わせ面６の内側に形成し、組み立て状態で、下ケース２に設けられた抱え込みリブ５が上ケース１によって覆われて外部から目視されないように構成することにより、ヘッドホンプラグの挿抜力に対して十分な固定強度を付与するために形成された抱え込みリブ５と上ケース１との合わせラインをなくすことができ、デザイン性に優れているという効果を奏する。
【００１７】
さらに、本実施の形態によれば、組み立て状態で、上ケース１の内面側と下ケース２に設けられた抱え込みリブ５とが当接されるように構成することにより、抱え込みリブ５が強度的に補強され、ヘッドホンジャック４に差し込んだヘッドホンプラグのコジリに対する強度を向上させることができるという効果を奏する。
【００１８】
なお、本実施の形態では、抱え込みリブ５を下ケース２に設けるように構成したが、抱え込みリブ５を上ケース１に設け、組み立て状態では、上ケース１に設けられた抱え込みリブ５が下ケース２によって覆われるように構成しても良い。
【００１９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２０】
【図１】本発明に係るリモコン装置の実施の形態の構成を示す分解図である。
【図２】図１に示す下ケースの抱え込みリブの構成を示す斜視図である。
【図３】図１に示すリモコン装置のヘッドホンジャック部分の組み立て状態を示す断面図である。
【図４】本発明に係るリモコン装置の実施の形態の構成を示す外観図である。
【図５】従来のリモコン装置の構成を示す外観図である。
【符号の説明】
【００２１】
１  上ケース
２  下ケース
３  リモコンケーブル
４  ヘッドホンジャック
５  抱え込みリブ
６  合わせ面
７  後端支持部
【図１】
2006080913.tif 000003
【図２】
2006080913.tif 000004
【図３】
2006080913.tif 000005
【図４】
2006080913.tif 000006
【図５】
2006080913.tif 000007